(57)【要約】【課題】動画記録中に所定のイベントを検出した場合に、動画及びイベントの各内容に応じて、動画記録及びイベント通知を効率的に支援する。【解決手段】画像データ及び動画データを記録可能な携帯端末であって、動画データの記録中に、イベントの発生を受け付けるイベント制御部と、画像データ、画像データの重要度を含む画像管理データ、及びイベントの重要度を含むイベント関連データを記憶する記憶部と、記憶部に記憶されている画像データ及び画像管理データを基に、記録中の動画データの重要度を判定する動画重要度設定部と、イベントの重要度及び判定された動画データの重要度を基に、イベントを通知するか否かを判定するイベント通知部と、イベント通知部の出力に応じて、イベントの発生を通知する出力部と、を備える。【選択図】図１
2012227817.tif 000002
【特許請求の範囲】
【請求項１】
画像データ及び動画データを記録可能な携帯端末であって、
前記動画データの記録中に、イベントの発生を受け付けるイベント制御部と、
前記画像データ、前記画像データの重要度を含む画像管理データ、及び前記イベントの重要度を含むイベント関連データを記憶する記憶部と、
前記記憶部に記憶されている前記画像データ及び前記画像管理データを基に、前記記録中の前記動画データの重要度を判定する動画重要度設定部と、
前記イベントの重要度及び前記判定された前記動画データの重要度を基に、前記イベントを通知するか否かを判定するイベント通知部と、
前記イベント通知部の出力に応じて、前記イベントの発生を通知する出力部と、を備える携帯端末。
【請求項２】
請求項１に記載の携帯端末であって、
前記記憶部に記憶されている前記画像データが前記記録中の前記動画データに含まれるか否かを判定する画像認証部と、を更に備え、
前記動画重要度設定部は、前記記憶部に記憶されている前記画像データが前記記録中の前記動画データに含まれると判定された場合に、前記画像データの重要度を、前記記録中の前記動画データの重要度として判定する携帯端末。
【請求項３】
請求項１又は２に記載の携帯端末であって、
前記イベント通知部は、前記イベントの重要度が前記判定された前記動画データの重要度以上である場合に、前記出力部に前記イベントの発生を通知させる携帯端末。
【請求項４】
請求項１又は２に記載の携帯端末であって、
前記イベント通知部は、前記イベントの重要度が前記判定された前記動画データの重要度未満である場合に、前記出力部に前記イベントの発生を通知させない携帯端末。
【請求項５】
請求項２に記載の携帯端末であって、
前記画像認証部は、前記記録中の前記動画データから被写体の顔を検出し、前記動画データから前記被写体の顔を検出した場合に、前記記憶部に記憶されている前記画像データが前記記録中の前記動画データに含まれると判定する携帯端末。
【請求項６】
請求項１〜５のうちいずれか一項に記載の携帯端末であって、
前記イベントは、発信者からの着信である携帯端末。
【請求項７】
請求項６に記載の携帯端末であって、
前記イベント関連データは、前記発信者の重要度を含む電話帳データであり、
前記イベント通知部は、前記電話帳データにおける前記発信者の重要度に応じて、前記イベントの重要度を判定する携帯端末。
【請求項８】
請求項１〜５のうちいずれか一項に記載の携帯端末であって、
前記イベントは、送信者からのメールの受信である携帯端末。
【請求項９】
請求項１〜５のうちいずれか一項に記載の携帯端末であって、
前記イベントは、予め設定されたアラームである携帯端末。
【請求項１０】
請求項１〜５のうちいずれか一項に記載の携帯端末であって、
前記イベントは、前記携帯端末において記録可能なデジタルテレビの記録予約である携帯端末。
【請求項１１】
画像データ及び動画データを記録可能な携帯端末のイベント通知方法であって、
前記動画データの記録中に、イベントの発生を受け付けるステップと、
前記携帯端末の記憶部に記憶されている前記画像データ、及び前記画像データの重要度を含む画像管理データを基に、前記記録中の前記動画データの重要度を判定するステップと、
前記イベントの重要度及び前記判定された前記動画データの重要度を基に、前記イベントを通知するか否かを判定するステップと、
前記判定結果に応じて、前記イベントの発生を通知するステップと、を備える携帯端末のイベント通知方法。
【請求項１２】
画像データ及び動画データを記録可能なコンピュータに、
前記動画データの記録中に、イベントの発生を受け付けるステップと、
前記コンピュータの記憶部に記憶されている前記画像データ、及び前記画像データの重要度を含む画像管理データを基に、前記記録中の前記動画データの重要度を判定するステップと、
前記イベントの重要度及び前記判定された前記動画データの重要度を基に、前記イベントを通知するか否かを判定するステップと、
前記判定結果に応じて、前記イベントの発生を通知するステップと、を実現させるためのプログラム。
【発明の詳細な説明】
【技術分野】
【０００１】
本発明は、カメラ機能を有する携帯端末、携帯端末のイベント通知方法、及びイベント通知方法を携帯端末に実行させるためのプログラムに関する。
【背景技術】
【０００２】
近年の携帯電話機には、人物等の被写体を撮影したり又は記録（録画）したりするカメラ機能が搭載されているものが多い。この様なカメラ機能を用いることにより、一般のカメラより機能的には劣るが、ユーザが撮影した画像データを携帯電話機の待ち受け画面に自由に設定可能である。
【０００３】
携帯電話機のカメラ機能を用いて撮影しているときに着信が発生する場合がある。この様な場合に、例えばバイブレーションモードで振動によって着信を通知する様に設定されていると、手ぶれを生じることがあり、撮影が困難になることがあった。
【０００４】
カメラ機能付きの携帯端末装置を用いた撮影時にユーザに着信を通知するものとして、例えば、特許文献１が知られている。
【０００５】
特許文献１の携帯端末装置は、通信部に着信があるとカメラ部が起動しているか否かを検知し、カメラ部が起動していると着信の通知方法がバイブレーションモードとなっているか否かを判定する。更に、携帯端末装置は、バイブレーションモードの場合にはバイブレータの振動レベルを弱に変更してバイブレータによる着信通知を行う。なお、カメラ部が起動していない場合及び着信の通知方法がバイブレーションモードに設定されていない場合には、携帯端末装置は、現在設定されている通知方法を用いて着信通知を行う。
【先行技術文献】
【特許文献】
【０００６】
【特許文献１】特開２００５−２５２９７１号公報
【発明の概要】
【発明が解決しようとする課題】
【０００７】
しかしながら、従来のカメラ機能付きの携帯電話機等の携帯端末においては、動画記録中に着信があると、通話によって動画記録が中断されてしまう。仮に、動画記録中に着信があった場合でも継続して動画記録が可能であるとしても、通話によって記録されている動画がユーザの嗜好に合わなくなる場合がある。
【０００８】
また、ユーザは、着信に応答せずに通話しなくても画面上に表示される発信者情報若しくは着信情報、又は上述した特許文献１において説明した微弱な振動による着信通知が気になり、動画記録に集中することが困難であった。
【０００９】
ユーザが着信よりも重要な動画を記録しているときには着信通知を行わず、記録終了後に着信を通知して欲しいということが考えられる。しかしながら、従来のカメラ機能付きの携帯電話機等の携帯端末は、記録中の動画内容が重要か否かを判別不可である。
【００１０】
本発明は、上述した従来の事情に鑑みてなされたものであり、動画記録中に所定のイベントを検出した場合に、動画及びイベントの各内容に応じて、動画記録及びイベント通知を効率的に支援する携帯端末、イベント通知方法及びプログラムを提供することを目的とする。
【課題を解決するための手段】
【００１１】
本発明は、上述した携帯端末であって、画像データ及び動画データを記録可能な携帯端末であって、前記動画データの記録中に、イベントの発生を受け付けるイベント制御部と、前記画像データ、前記画像データの重要度を含む画像管理データ、及び前記イベントの重要度を含むイベント関連データを記憶する記憶部と、前記記憶部に記憶されている前記画像データ及び前記画像管理データを基に、前記記録中の前記動画データの重要度を判定する動画重要度設定部と、前記イベントの重要度及び前記判定された前記動画データの重要度を基に、前記イベントを通知するか否かを判定するイベント通知部と、前記イベント通知部の出力に応じて、前記イベントの発生を通知する出力部と、を備える。
【００１２】
また、本発明は、上述した携帯端末のイベント通知方法であって、画像データ及び動画データを記録可能な携帯端末のイベント通知方法であって、前記動画データの記録中に、イベントの発生を受け付けるステップと、前記携帯端末の記憶部に記憶されている前記画像データ、及び前記画像データの重要度を含む画像管理データを基に、前記記録中の前記動画データの重要度を判定するステップと、前記イベントの重要度及び前記判定された前記動画データの重要度を基に、前記イベントを通知するか否かを判定するステップと、前記判定結果に応じて、前記イベントの発生を通知するステップと、を備える。
【００１３】
また、本発明は、上述したプログラムであって、画像データ及び動画データを記録可能なコンピュータに、前記動画データの記録中に、イベントの発生を受け付けるステップと、前記コンピュータの記憶部に記憶されている前記画像データ、及び前記画像データの重要度を含む画像管理データを基に、前記記録中の前記動画データの重要度を判定するステップと、前記イベントの重要度及び前記判定された前記動画データの重要度を基に、前記イベントを通知するか否かを判定するステップと、前記判定結果に応じて、前記イベントの発生を通知するステップと、を実現させる。
【００１４】
上述した構成によれば、動画記録中に所定のイベントを検出した場合に、動画及びイベントの各内容に応じて、動画記録及びイベント通知を効率的に支援することができる。
【発明の効果】
【００１５】
本発明によれば、動画記録中に所定のイベントを検出した場合に、動画及びイベントの各内容に応じて、動画記録及びイベント通知を効率的に支援することができる。
【図面の簡単な説明】
【００１６】
【図１】携帯端末の内部構成の一例を表すブロック図
【図２】（ａ）電話帳データの一例を表す説明図、（ｂ）画像管理データの一例を表す説明図、（ｃ）動画管理データの一例を表す説明図、（ｄ）アラーム管理データの一例を表す説明図、（ｅ）ＤＴＶ記録予約データの一例を表す説明図
【図３】（ａ）内部メモリに記憶されている画像データの一例を表す模式図、（ｂ）動画データの重要度がイベント（着信）の重要度より大きい場合の出力部の出力内容の一例を表す説明図、（ｃ）動画データの重要度がイベント（着信）の重要度以下である場合の出力部の出力内容の一例を表す説明図
【図４】画像データ又は電話帳データの重要度を設定する処理を説明するフローチャート
【図５】動画データの記録中に動画データの重要度を設定する処理を説明するフローチャート
【図６】動画データの記録中にイベント（着信）が発生した場合の着信を通知する処理を説明するフローチャート
【図７】動画データの記録の停止後に未通知の着信の発生を通知する処理を説明するフローチャート
【発明を実施するための形態】
【００１７】
以下、本発明に係る携帯端末の実施の形態について、図面を参照して説明する。本実施の形態においては、本発明に係る携帯端末として、携帯電話機を例示して説明する。但し、本発明に係る携帯端末は、携帯電話機に限定されず、例えばスマートフォン、ＰＤＡ（personal digital assistant）、ノートＰＣ（personal computer）、デジタルスチルカメラ又は電子書籍端末等でも良い。
【００１８】
なお、本発明は、携帯電話機、又は携帯電話機をコンピュータとして動作させるためのプログラムとして表現することも可能である。更に、本発明は、携帯電話機により実行される処理（ステップ）を含む方法として表現することも可能である。即ち、本発明は、装置、方法及びプログラムのうちいずれのカテゴリーでも表現可能である。
【００１９】
以下の説明において、画像を撮影して画像データとして保存することを「画像を記録する」と記載する。動画を撮影及び録画して動画データとして保存することを「動画を記録する」と記載する。更に、以下の説明において、情報又はデータを保存又は格納することを「情報又はデータを記憶する」と記載する。
【００２０】
以下の説明において、イベントの重要性を表すパラメータを「重要度」と記載し、この重要度を例えば１０段階で示すとする。例えば、最も重要性の低い場合には重要度「１」が設定され、最も重要性の高い場合には重要度「１０」が設定される。
【００２１】
（実施の形態１）
実施の形態１の携帯電話機１００の構成及び動作について、図１〜図７を参照して説明する。
【００２２】
実施の形態１では、携帯電話機１００は、画像データ及び動画データを記録可能であって、動画データの記録中に、所定のイベントの発生を受け付ける。以下の実施の形態においては、イベントとして着信を例示して説明する。但し、イベントは着信に限定されず、例えばアラーム、デジタルテレビ（ＤＴＶ）の記録予約を含む。
【００２３】
携帯電話機１００は、画像データ、画像データの重要度を含む画像管理データ、及びイベントの重要度を含むイベント関連データを記憶し、画像データ及び画像管理データを基に、記録中の動画データの重要度を判定する。携帯電話機１００は、発生したイベント毎に、イベントに対応するイベント関連データからイベントの重要度を判定する。
【００２４】
更に、携帯電話機１００は、イベントの重要度及び判定された動画データの重要度を基に、イベントの発生を通知するか否かを判定し、この判定結果に応じて、イベントの発生を通知する。
【００２５】
図１は、実施の形態１の携帯電話機１００の内部構成の一例を表すブロック図である。携帯電話機１００は、図１に表す様に、操作部１１１、重要度設定部１１２、内部メモリ１１３、外部メモリ１１４、動画記録制御部１１５、撮影部１１６、画像認証部１１７、動画重要度設定部１１８、イベント制御部としての着信制御部１１９、イベント通知部としての着信通知部１２０、出力制御部１２１、出力部１２２、ＲＯＭ１２３及びＲＡＭ１２４を含む構成である。
【００２６】
内部メモリ１１３には、画像管理データ１３０（図２（ｂ）参照）、画像データ１４０及び電話帳データ１５０（図２（ａ）参照）が記憶されている。
【００２７】
外部メモリ１１４には、動画管理データ１６０（図２（ｃ）参照）及び動画データ１７０が記憶されている。
【００２８】
操作部１１１は、ユーザが携帯端末１００に対する操作を入力するためのユーザインタフェースであり、ユーザの操作内容に応じた操作信号を重要度設定部１１２又は動画記録制御部１１５に出力する。
【００２９】
操作部１１１は、例えば、電話番号等を入力するテンキー、オンフック又はオフフックを行う通話器キー及びファンクションキー等の各種キーで構成可能である。また、操作部１１１は、出力部１２２がＬＣＤ（Liquid Crystal Display）で構成されている場合において出力部１２２の上に配置され、ユーザの指又はスタイラスペン等による入力操作を受け付け可能なタッチパネル等で構成されても良い。
【００３０】
重要度設定部１１２は、携帯電話機１００に内蔵されるＣＰＵ（Central Processing Unit）等で構成され、操作部１１１からの操作信号に応じて、ユーザの選択により特定された画像データの画像管理データ１３０又は発信者の電話帳データ１５０の重要度を設定する。重要度設定部１１２の重要度の設定方法については、図４を参照して後述する。
【００３１】
内部メモリ１１３は、携帯電話機１００に内蔵されるハードディスク又はフラッシュメモリ等で構成されている。内部メモリ１１３は、複数の画像データ１４０、各画像データの重要度を含む各画像管理データ１３０、及びイベント（着信）の重要度を含むイベント関連データとしての電話帳データ１５０を記憶している。なお、画像データ１４０は、撮影部１１６により撮影されたもの、又は、他の電子機器（例えばデジタルスチルカメラ等）により撮影されて携帯端末１００にインポートされたものでも良い。また、内部メモリ１１３は、後述する着信制御部１１９が受信した着信信号に応じた発信者情報及び発信者の電話番号を含む着信履歴、並びに携帯電話機１００において受信された受信メールのデータを記憶する。
【００３２】
外部メモリ１１４は、携帯電話機１００に挿入して接続されるメモリカード等で構成され、複数の動画データ１７０及び各動画データの重要度を含む動画管理データ１６０を記憶している。なお、動画データ１７０は、撮影部１１６により撮影されたもの、又は、他の電子機器（例えばデジタルスチルカメラ等）により撮影されて携帯電話機１００にインポートされたものでも良い。
【００３３】
なお、携帯電話機１００は、内部メモリ１１３と外部メモリ１１４と別々に含む様に構成しているが、外部メモリ１１４を含まずに外部メモリ１１４に記憶されているデータを内部メモリ１１３のみに記憶する様に構成しても良い。
【００３４】
なお、本実施の形態においては、イベントの重要度は、イベントが着信である場合において、発信者の電話帳データにおける重要度とする。従って、着信が発生した場合において、当該着信の発信者の電話帳データにおける重要度が「１０」である場合には、着信の重要度は「１０」と判定される。
【００３５】
図２（ａ）は、電話帳データ１５０の一例を表す説明図である。図２（ｂ）は、画像管理データ１３０の一例を表す説明図である。図２（ｃ）は、動画管理データ１６０の一例を表す説明図である。図２（ｄ）は、アラーム管理データの一例を表す説明図である。図２（ｅ）は、ＤＴＶ記録予約データの一例を表す説明図である。
【００３６】
電話帳データ１５０は、名前、電話番号、メールアドレス、フリガナ、住所、誕生日及び重要度の各項目を少なくとも含む構成である。名前「山田太郎」の電話帳データ１５０においては、携帯端末１００により重要度「８」が設定されている。
【００３７】
画像管理データ１３０は、ファイルＩＤ、ファイル名、ファイルサイズ及び重要度の各項目を少なくとも含む構成である。ファイルＩＤ「５」の画像管理データ１３０においては、携帯端末１００により重要度「１０」が設定されている。
【００３８】
動画管理データ１６０は、ファイルＩＤ、ファイル名、ファイルサイズ及び重要度の各項目を少なくとも含む構成である。ファイルＩＤ「２０」の動画管理データ１６０においては、携帯端末１００により重要度「１０」が設定されている。
【００３９】
アラーム管理データは、スケジュール、日程、時刻、アラーム設定及び重要度の各項目を少なくとも含む構成である。スケジュール「重要会議」のアラーム管理データにおいては、携帯端末１００により重要度「１０」が設定されている。
【００４０】
ＤＴＶ記録予約データは、記録番組、日程、時刻、記録開始通知及び重要度の各項目を少なくとも含む構成である。記録番組「ドラマＡ」のＤＴＶ記録予約データにおいては、携帯端末１００により重要度「２」が設定されている。
【００４１】
動画記録制御部１１５は、携帯電話機１００に内蔵されるＣＰＵ等で構成され、動画データの記録について携帯電話機１００の各部の動作を制御する。例えば、動画記録制御部１１５は、操作部１１１により出力された動画データを撮影する旨の操作信号に応じて、撮影部１１６に動画データを記録する制御信号を出力する。
【００４２】
また、動画記録制御部１１５は、記録中の動画データの重要度を判定するため、撮影部１１６により出力された動画データを、画像認証部１１７に出力する。
【００４３】
撮影部１１６は、撮影によって画像データを取得するＣＣＤ（Charge Coupled Device）等により構成され、動画記録制御部１１５により出力された制御信号に応じて、被写体を撮影する。撮影部１１６は、この撮影により取得された画像データ又は動画データを動画記録制御部１１５に出力する。
【００４４】
画像認証部１１７は、携帯電話機１００に内蔵されるＣＰＵ等で構成され、動画記録制御部１１５により出力された動画データ、及び、内部メモリ１１３に記憶されている画像データ１４０を読み出す。画像認証部１１７は、画像データ１４０及び記録中の動画データを基に、動画記録制御部１１５により出力された動画データに、内部メモリ１１３から読み出した画像データが含まれているか否かを判定する。
【００４５】
画像認証部１１７は、記録中の動画データに画像データ１４０が含まれていると判定した場合には、画像データ１４０の画像管理データ１３０を内部メモリ１１３から読み出し、動画重要度設定部１１８に出力する。
【００４６】
なお、画像認証部１１７は、例えば画像データに被写体人物の顔がある場合に動画データの各フレームに画像データの被写体人物の顔と同じ顔を検出することにより、記録中の動画データに画像データ１４０が含まれていると判定可能である。なお、被写体人物の顔を検出する方法は、下記参考特許文献１に開示されている顔検出アルゴリズムを適用可能である。
【００４７】
（参考特許文献１）特開２０００−３０６０９５号公報
【００４８】
動画重要度設定部１１８は、携帯電話機１００に内蔵されるＣＰＵ等で構成され、画像認証部１１７により出力された画像管理データ１３０の重要度を、撮影部１１６により撮影されている（記録中の）動画データの重要度として判定する。動画重要度設定部１１８は、判定された動画データの重要度を動画記録制御部１１５に出力する。なお、動画記録制御部１１５は、判定された動画データの重要度を、記録中の動画データに対応する動画管理データ１６０に設定又は更新する。
【００４９】
着信制御部１１９は、発呼（発信）若しくは着呼（着信）を制御可能な無線通信回路及びアンテナ等により構成され、不図示の無線基地局から送信された呼び出し信号（着信信号）を検出（受信）する。即ち、イベント制御部１１９としての着信制御部１１９は、イベントが着信である場合に、着信の発生を受け付ける。着信制御部１１９は、着信信号を検出した場合に、着信通知部１２０に着信信号を検出した旨を出力する。
【００５０】
着信通知部１２０は、携帯電話機１００に内蔵されるＣＰＵ等で構成され、着信制御部１１９からの出力に応じて、イベント（着信）の重要度及び判定された動画データの重要度を判定する。更に、着信通知部１２０は、判定されたイベント（着信）の重要度及び動画データの重要度を基に、動画データの記録中にイベント（着信）の発生をユーザに対して通知するか否かを判定する。着信通知部１２０の動作を具体的に説明する。
【００５１】
着信通知部１２０は、着信制御部１１９からの出力に応じて、内部メモリ１１３の電話帳データ１５０を読み出して発信者を特定し、特定された発信者の重要度をイベント（着信）の重要度として判定する。なお、着信制御部１１９からの出力には、発信者又は発信番号（発信者の電話番号）を表す情報が含まれている。更に、着信通知部１２０は、動画記録制御部１１５に動画データの重要度を問い合わせ、動画記録制御部１１５から動画データの重要度を取得する。
【００５２】
着信通知部１２０は、イベント（着信）の重要度と動画データの重要度とを比較し、動画データの重要度がイベント（着信）の重要度を超えている場合には、動画記録制御部１１５に動画記録継続の指示を出力し、更に、出力部１２２にイベント（着信）の発生を通知させない様に出力制御部１２１に指示する。なお、着信通知部１２０は、イベント（着信）の発生をユーザに対して通知させない場合に、イベント（着信）の発生元（発信者）に対して、例えば「ただ今電話に出ることができません。」という簡易なメッセージを、着信制御部１１９に応答させる様に指示しても良い。
【００５３】
着信通知部１２０は、イベント（着信）の重要度と動画データの重要度とを比較し、動画データの重要度がイベント（着信）の重要度以下である場合には、動画記録制御部１１５に動画記録継続の指示を出力し、更に、出力部１２２にイベント（着信）の発生を通知させる様に出力制御部１２１に指示する。
【００５４】
なお、着信通知部１２０は、着信制御部１１９からの出力に応じて、発信者を特定できない、即ち発信者の電話帳データ１５０が内部メモリ１１３に記憶されていないと判定した場合には、発信者の重要度を所定値（例えば「３」）として判定しても良い。この所定値は着信通知部１２０の動作において予め規定されていることが好ましい。更に、着信通知部１２０は、携帯電話機１００に内蔵されるＣＰＵ及びＲＡＭで構成されている場合に、着信制御部１１９が受信した着信信号に応じた発信者情報及び発信者の電話番号を含む着信履歴、並びに携帯電話機１００において受信された受信メールのデータを記憶しても良い。
【００５５】
出力制御部１２１は、携帯電話機１００に内蔵されるＣＰＵ等により構成され、着信通知部１２０からの出力に応じて、出力部１２２にイベント（着信）の発生を通知させる様に出力部１２２を制御する。
【００５６】
出力部１２２は、ＬＣＤ等により構成され、例えば携帯電話機１００の表示部として、出力制御部１２１により出力された信号に応じて、イベント（着信）を表示する。なお、本実施の形態においては、出力部１２２の出力形態としては、ＬＣＤ等の表示部に表示する様な構成として説明しているが、スピーカ等の音声出力部に出力する様な構成として説明しても良い。
【００５７】
ＲＯＭ１２３は、携帯電話機１００における動画記録制御部１１５、画像認証部１１７、動画重要度設定部１１８、着信通知部１２０及び出力制御部１２１の各部の動作が予め規定された各プログラムを記憶している。なお、動画記録制御部１１５、画像認証部１１７、動画重要度設定部１１８、着信通知部１２０及び出力制御部１２１の各部は、ハードウェア又はソフトウェアで構成することが可能である。特に、これらの各部がソフトウェアにより構成される際には、携帯電話機１００に内蔵されているＣＰＵが当該各部の動作が予め規定されたプログラムをＲＯＭ１２３から読み出すことにより、当該各部が動作可能となる。なお、図１においては、ＲＯＭ１２３への矢印の図示を省略している。
【００５８】
ＲＡＭ１２４は、動画記録制御部１１５、画像認証部１１７、動画重要度設定部１１８、着信通知部１２０及び出力制御部１２１の各部の動作における各々のワークメモリとして動作する。なお、図１においては、ＲＡＭ１２４への矢印の図示を省略している。
【００５９】
図３（ａ）は、内部メモリ１１３に記憶されている画像データ１４０の一例を表す模式図である。図３（ｂ）は、動画データ１７０の重要度がイベント（着信）の重要度）より大きい場合の出力部１２２の出力内容の一例を表す説明図である。図３（ｃ）は、動画データ１７０の重要度がイベント（着信）の重要度以下である場合の出力部１２２の出力内容の一例を表す説明図である。
【００６０】
図３（ａ）〜（ｃ）の説明において、画像データ１４０の画像管理データ１３０は図２（ｂ）の画像管理データであって、発信者の電話帳データ１５０は図２（ａ）の電話帳データであるとする。動画データの重要度は、画像データ１４０の重要度が「１０」であるため、「１０」と判定される（図２（ｃ）参照）。
【００６１】
図３（ｂ）においては、着信通知部１２０が動画データ１７０の重要度（「１０」）が発信者の重要度（「８」）、即ち、着信の重要度（「８」）より大きいと判定している。更に、図３（ｂ）においては、出力部１２２は、動画データの記録中において着信の発生が通知（表示）されていない様子が表されている。
【００６２】
図３（ｃ）においては、着信通知部１２０が動画データ１７０の重要度（例えば、「５」とする）が発信者の重要度（「８」）、即ち、着信の重要度（「８」）以下であると判定している。更に、図３（ｃ）においては、出力部１２２は、動画データの記録中において着信の発生が通知（表示）されている様子が表されている。
【００６３】
次に、重要度設定部１１２が画像データ１４０又は電話帳データ１５０の重要度を設定する処理を、図４を参照して説明する。図４は、画像データ１４０又は電話帳データ１５０の重要度を設定する処理を説明するフローチャートである。
【００６４】
図４において、画像データ１４０又は電話帳データ１５０の重要度を設定するためのユーザ操作が入力された場合（Ｓ１０１、ＹＥＳ）、操作部１１１は、ユーザ操作に応じた操作信号を重要度設定部１１２に出力する。重要度設定部１１２は、操作部１１１からの操作信号を基に、重要度設定の対象となるデータのデータ種別を判定する（Ｓ１０２）。
【００６５】
重要度設定の対象となるデータのデータ種別が画像データであると判定されたとする（Ｓ１０２、画像データ）。重要度設定部１１２は、特定の画像データに対する重要度の値が直接ユーザ操作により入力された場合には（Ｓ１０３、ＹＥＳ）、その入力された値を、特定された画像データの重要度として設定する（Ｓ１０４）。即ち、重要度設定部１１２は、重要度設定の対象として特定された画像データ１４０の画像管理データ１３０の重要度の値を設定又は更新する。
【００６６】
重要度設定部１１２は、特定の画像データに対する重要度の値が直接ユーザ操作により入力されていない場合には（Ｓ１０３、ＮＯ）、外部メモリ１１４に記憶されている動画データ１７０から使用頻度の高い画像データを所定数、抽出する（Ｓ１０５）。なお、所定数は、重要度設定部１１２の動作において予め規定されていることが好ましい。
【００６７】
重要度設定部１１２は、ステップＳ１０５において抽出された所定数の各画像データの各重要度として、使用頻度の多い順番に、ステップＳ１０５において抽出された所定数に応じて予め定められた各所定値であると判定する（Ｓ１０６）。
【００６８】
例えば、ステップＳ１０５において抽出された画像データ数が３である場合に、重要度設定部１１２は、それぞれ使用頻度の高い画像データ毎に、各画像データの各重要度を、「５」，「４」，「３」と判定する。ステップＳ１０６の後、重要度設定部１１２は、ステップＳ１０５において抽出された各画像データの各重要度を、ステップＳ１０６において判定された各所定値に設定する（Ｓ１０４）。以上により、図４のフローチャートの処理は終了する。
【００６９】
一方、重要度設定の対象となるデータのデータ種別が電話帳データであると判定されたとする（Ｓ１０２、電話帳データ）。重要度設定部１１２は、特定の電話帳データに対する重要度の値が直接ユーザ操作により入力された場合には（Ｓ１０７、ＹＥＳ）、その入力された値を、特定された電話帳データの重要度として設定する（Ｓ１０８）。即ち、重要度設定部１１２は、重要度設定の対象として特定された電話帳データ１５０の重要度の値を設定又は更新する。
【００７０】
重要度設定部１１２は、特定の電話帳データに対する重要度の値が直接ユーザ操作により入力されていない場合には（Ｓ１０７、ＮＯ）、内部メモリ１１３又は着信通知部１２０に記憶されている着信履歴又は受信メール等から着信頻度の高い電話帳データを所定数、抽出する（Ｓ１０９）。なお、所定数は、重要度設定部１１２の動作において予め規定されていることが好ましい。
【００７１】
重要度設定部１１２は、ステップＳ１０９において抽出された所定数の各電話帳データの各重要度として、着信頻度の多い順番に、ステップＳ１０９において抽出された所定数に応じて予め定められた所定値であると判定する（Ｓ１１０）。
【００７２】
例えば、ステップＳ１０９において抽出された電話帳データ数が２である場合に、重要度設定部１１２は、それぞれ着信頻度の高い電話帳データ毎に、各電話帳データの各重要度を、「５」，「４」と判定する。ステップＳ１１０の後、重要度設定部１１２は、ステップＳ１０９において抽出された各電話帳データの各重要度を、ステップＳ１１０において判定された各所定値に設定する（Ｓ１０４）。以上により、図４のフローチャートの処理は終了する。
【００７３】
次に、動画重要度設定部１１８が記録中の動画データの重要度を設定する処理を、図５を参照して説明する。図５は、動画データの記録中に動画データの重要度を設定する処理を説明するフローチャートである。
【００７４】
図５において、動画データの記録を開始するためのユーザ操作が入力された場合（Ｓ１２１、ＹＥＳ）、操作部１１１は、ユーザ操作に応じた操作信号を動画記録制御部１１５に出力する。動画記録制御部１１５は、動画データの記録を開始するために、動画を撮影する旨の制御信号を撮影部１１６に出力する。撮影部１１６は、動画記録制御部１１５により出力された制御信号に応じて、動画の撮影を開始する（Ｓ１２２）。なお、撮影により取得された動画データは、動画記録制御部１１５を介して画像認証部１１７に出力される。
【００７５】
動画の記録を終了するためのユーザ操作が入力された場合には（Ｓ１２３、ＹＥＳ）、操作部１１１は、ユーザ操作に応じた操作信号を動画記録制御部１１５に出力する。動作記録制御部１１５は、動画の記録を終了するために、動画の撮影を終了する旨の制御信号を撮影部１１６に出力する。撮影部１１６は、動画記録制御部１１５により出力された制御信号に応じて、動画の撮影を終了する。これにより、図５のフローチャートの処理は終了する。
【００７６】
一方、動画の記録を終了するためのユーザ操作が入力されていない場合には（Ｓ１２３、ＮＯ）、画像認証部１１７は、動画記録制御部１１５により出力された動画データに、内部メモリ１１３から読み出した画像データが含まれているか否かを判定する（Ｓ１２４）。
【００７７】
記録中の動画データに重要度が設定された画像データが検出されないと判定された場合には（Ｓ１２４、ＮＯ）、重要度が設定された画像データを画像認証部１１７が記録中の動画データにおいて検出するまで、ステップＳ１２３及びＳ１２４の処理が繰り返される。
【００７８】
記録中の動画データに重要度が設定された画像データが検出されたと判定された場合には（Ｓ１２４、ＹＥＳ）、画像認証部１１７は、動画データに含まれている画像データ１４０の画像管理データ１３０を内部メモリ１１３から読み出し、動画重要度設定部１１８に出力する。
【００７９】
動画重要度設定部１１８は、画像認証部１１７により出力された画像管理データ１３０の重要度を、記録中の動画データの重要度として判定する。動画重要度設定部１１８は、判定された動画データの重要度を動画記録制御部１１５に出力する。なお、動画記録制御部１１５は、動画データの重要度を、動画管理データ１６０に設定又は更新する（Ｓ１２５）。以上により、図５のフローチャートの処理は終了する。
【００８０】
次に、着信通知部１２０が動画データの記録中に着信が発生した場合に着信を通知する処理を、図６を参照して説明する。図６は、動画データの記録中にイベント（着信）が発生した場合の着信を通知する処理を説明するフローチャートである。
【００８１】
図６において、着信制御部１１９が発信者からの発呼に応じた呼び出し信号（着信信号）を検出した場合（Ｓ１４１、ＹＥＳ）、着信通知部１２０は、内部メモリ１１３の電話帳データ１５０を読み出して発信者を特定する（Ｓ１４２）。
【００８２】
着信通知部１２０は、ステップＳ１４２において読み出された電話帳データ１５０を基に、特定された発信者の重要度を判定する。着信通知部１２０は、ステップＳ１４３において判定された発信者の重要度を、ステップＳ１４１におけるイベント（着信）の重要度として判定する（Ｓ１４３）。
【００８３】
着信通知部１２０は、動画記録制御部１１５に動画データの重要度を問い合わせ、動画記録制御部１１５から動画データの重要度を取得する（Ｓ１４４）。
【００８４】
着信通知部１２０は、着信の重要度と動画データの重要度とを比較する（Ｓ１４５）。
【００８５】
動画データの重要度が着信の重要度より大きい場合には（Ｓ１４５、ＹＥＳ）、着信通知部１２０は、動画記録制御部１１５に動画データの記録の継続の指示を出力する。更に、着信通知部１２０は、出力部１２２に着信の発生をユーザに対して通知させない様に出力制御部１２１に指示する（Ｓ１４６、図３（ｂ）参照）。
【００８６】
動画データの重要度が着信の重要度以下である場合には（Ｓ１４５、ＮＯ）、着信通知部１２０は、動画記録制御部１１５に動画データの記録の継続の指示を出力する。更に、着信通知部１２０は、出力部１２２に着信の発生をユーザに対して通知させる様に出力制御部１２１に指示する（Ｓ１４７、図３（ｃ）参照）。以上により、図６のフローチャートの処理は終了する。
【００８７】
次に、着信通知部１２０が動画データの記録を停止した時に未通知の着信を通知する処理を、図７を参照して説明する。図７は、動画データの記録の停止後に未通知の着信の発生を通知する処理を説明するフローチャートである。
【００８８】
図７において、動画データの記録を停止するためのユーザ操作が入力された場合（Ｓ１６１、ＹＥＳ）、操作部１１１は、ユーザ操作に応じた操作信号を動画記録制御部１１５に出力する。動画記録制御部１１５は、動画の記録を停止するために、撮影部１１６に動画の撮影を停止する旨の制御信号を出力する。撮影部１１６は、動画記録制御部１１５により出力された制御信号に応じて、動画の撮影を停止する。動画記録制御部１１５は、動画の記録を停止した旨を着信通知部１２０に出力する。
【００８９】
着信通知部１２０は、動画記録制御部１１５からの出力に応じて、動画の記録の停止時点において、出力部１２２にユーザに対して通知していない着信があるかないかを判定する（Ｓ１６２）。例えば、動画データの重要度が着信の重要度より大きいと判定された場合には、着信通知部１２０は、出力部１２２に着信の発生をユーザに対して通知させない様に出力制御部１２１に指示する。この場合には、動画の記録の停止時点において、出力部１２２にユーザに対して通知していない着信がある可能性が高い。
【００９０】
着信通知部１２０は、動画の記録の停止時点において、出力部１２２にユーザに対して通知していない着信があると判定された場合には（Ｓ１６２、ＹＥＳ）、ユーザに対して未通知の着信履歴を出力部１２１において出力可能に出力制御部１２１に指示する（Ｓ１６３）。なお、この未通知の着信履歴の出力形態は、例えば、着信があったことを表すアイコンを表示したり、着信があったことを表す音声メッセージを出力したり、又は着信があったことを表す画面を表示すれば良い。以上により、図７のフローチャートの処理は終了する。
【００９１】
以上により、本発明に係る携帯電話機１００は、動画データの記録中にイベントとして例えば着信が発生した場合に、動画データの重要度とイベント（着信）の重要度とを比較し、比較結果に拘わらず動画データの記録を継続する。更に、携帯電話機１００は、動画データの重要度がイベント（着信）の重要度より超えている場合には、着信の発生をユーザに通知しないで動画データの記録を継続する。携帯電話機１００は、動画データの重要度がイベント（着信）の重要度以下である場合には、着信の発生をユーザに通知した上で動画データの記録を継続する。
【００９２】
従って、携帯電話機１００によれば、動画記録中に所定のイベントを検出した場合でも、動画及びイベントの各内容（重要度）に応じて、動画記録を妨害することなく、イベントが発生したことをユーザに動画記録時又は動画記録後に通知することができる。これにより、携帯電話機１００によれば、動画記録中に所定のイベントを検出した場合に、動画及びイベントの各内容に応じて、動画記録及びイベント通知を効率的に支援することができる。
【００９３】
以上、図面を参照しながら各種の実施の形態について説明したが、本発明はかかる例に限定されないことは言うまでもない。当業者であれば、特許請求の範囲に記載された範疇内において、各種実施の形態の変更例または修正例、更に各種実施の形態の組み合わせ例に想到し得ることは明らかであり、それらについても当然に本発明の技術的範囲に属するものと了解される。
【産業上の利用可能性】
【００９４】
本発明は、動画記録中に所定のイベントを検出した場合に、動画及びイベントの各内容に応じて、動画記録及びイベント通知を効率的に支援することが可能な携帯端末、イベント通知方法及びプログラムとして有用である。
【符号の説明】
【００９５】
１００  携帯電話機
１１１  操作部
１１２  重要度設定部
１１３  内部メモリ
１１４  外部メモリ
１１５  動画記録制御部
１１６  撮影部
１１７  画像認証部
１１８  動画重要度設定部
１１９  着信制御部
１２０  着信通知部
１２１  出力制御部
１２２  出力部
１２３  ＲＯＭ
１２４  ＲＡＭ
１３０  画像管理データ
１４０  画像データ
１５０  電話帳データ
１６０  動画管理データ
１７０  動画データ
【図１】
2012227817.tif 000003
【図２】
2012227817.tif 000004
【図３】
2012227817.tif 000005
【図４】
2012227817.tif 000006
【図５】
2012227817.tif 000007
【図６】
2012227817.tif 000008
【図７】
2012227817.tif 000009